(57)【要約】【課題】  この発明は複数の箱状体を、外観を損なうことなく連結してベッド本体とすることができるベッド装置を提供することにある。【解決手段】  一対の側面の一方が開口部２ａに形成され他方に側板５に設けられた複数の箱状体２を、各箱状体の開口部を同じ方向に向けるとともに一対の側面に直交する方向に位置する互いの端板の幅方向一端部と他端部とをねじ１４ａ，１６で連結して構成されるベッド本体１と、各箱状体の開口部に出し入れ可能に設けられた収納ケース１３と、箱状体の端板の開口部と反対側の端部と側板の内面との間にそれぞれ高さ方向に沿って開口形成された作業口７と、ベッド本体の長手方向一端に位置する箱状体の端板にねじ２９によって幅方向の一端部と他端部とが連結されるヘッドボード２１及び他端に位置する箱状体の端面にねじ２９によって幅方向の一端部と他端部とが連結されるフットボード２２とを具備する。【選択図】      図３
2005224279.tif 000002
【特許請求の範囲】
【請求項１】
一対の側面の一方が開口部に形成され他方に側板に設けられた複数の箱状体を、各箱状体の開口部を同じ方向に向けるとともに上記一対の側面に直交する方向に位置する互いの端板の幅方向一端部と他端部とを第１の連結手段で連結して構成されるベッド本体と、
各箱状体の開口部に出し入れ可能に設けられた収納ケースと、
上記箱状体の端板の上記開口部と反対側の端部と側板の内面との間にそれぞれ高さ方向に沿って開口形成された作業口と、
上記ベッド本体の長手方向一端に位置する箱状体の端板に第２の連結手段によって幅方向の一端部と他端部とが連結されるヘッドボード及び他端に位置する箱状体の端面に第３の連結手段によって幅方向の一端部と他端部とが連結されるフットボードとを具備し、
上記第１乃至第３の連結手段による連結は、幅方向の一端部の連結が各箱状体の開口部から行なわれ、他端部の連結が上記作業口を用いて行なわれることを特徴とするベッド装置。
【請求項２】
複数の箱状体は同じ大きさに形成されていることを特徴とする請求項１記載のベッド装置。
【請求項３】
隣り合う一対の箱状体の端板を連結する第１の連結手段は、一端部を一方の箱状体の上面を形成する床板の幅方向の端部の内面に連結し、他端部をその箱状体の作業口から外部に突出させ、一方の箱状体の端板に他方の箱状体の端板を接触させるときに上記他端部を他方の箱状体の作業口から内部に挿入して上記床板の幅方向端部の内面に連結される連結部材と、一対の箱状体の接触される一対の端板の上記開口部側に位置する端部を連結する第１のねじとからなることを特徴とする請求項１記載のベッド装置。
【請求項４】
上記第２、第３の連結手段は、Ｌ字状をなしていて、その一辺が上記各ボードの幅方向一端部の前面に取り付けられ他端部が箱状体の端板に開口形成された作業口から内部に挿入しその箱状体の上面を形成する床板の内面に連結固定されるＬ字状部材と、各ボードの幅方向の他端部を上記開口部から上記端板に連結固定する第２の連結ねじとからなることを特徴とする請求項１記載のベッド装置。
【発明の詳細な説明】
【技術分野】
【０００１】
この発明はベッド本体を複数の箱状体から構成し、これら箱状体に収納ケースが出し入れ可能に設けられるベッド装置に関する。
【背景技術】
【０００２】
一般に、ベッド装置はベッド本体を有する。このベッド本体は上面にマットレスが載置されるとともに、長手方向一端にはヘッドボード、他端にはフットボードがほぼ垂直に立設されている。
【０００３】
上記ベッド装置が占有する室内空間を有効利用するため、上記ベッド本体を一側面に開口部を有する箱形状に形成し、この開口部からベッド本体内に衣類などの物品を収納することができる収納ケースを出し入れ可能に設ける。それによって、ベッド本体が占有する室内空間の有効利用を図ることができるようにしている。
【０００４】
箱形状に形成されたベッド本体は長さ寸法が大きくなるため、倉庫での保管には大きなスペースが必要となり、また工場からの出荷時には取り扱いが不便であるなどのことがある。そのため、上記ベッド本体を複数、たとえば２つの箱状体に分割することで、梱包状態での荷姿を小さくし、倉庫での保管スペースを小さくしたり、出荷時の取り扱いを容易化するなどのことが行なわれている。
【発明の開示】
【発明が解決しようとする課題】
【０００５】
ベッド本体を複数、例えば２つの箱状体に分解すれば、梱包時の荷姿の長さ寸法を約半分に小さくすることができるから、保管スペースの減少や運搬時の取り扱いなどの容易化を図ることが可能となる。ところで、分割された複数の箱状体は、使用時には連結してベッド本体としなければならず、連結されたベッド本体の長手方向一端と他端とにはそれぞれヘッドボード及びフットボードを連結しなければならない。
【０００６】
分割された複数の箱状体を連結する場合、箱状体の一側面を開口させ、その内部に収納ケースを出し入れ可能に設ける構成であれば、並設された箱状体の幅方向一端部は、一側面が開口しているから、互いに接触する端板の幅方向一端部をねじにより、そのねじが外部に露出しないように連結することが可能である。
【０００７】
しかしながら、箱状体の幅方向他端部は側板によって閉塞されている。そのため、幅方向他端部を連結するためには、側板の外面を連結板などによって連結しなければならないから、その連結板が外部に露出し、ベッド本体の外観を低下させるなどのことがある。
【０００８】
複数の箱状体を連結して形成されたベッド本体の一端面と他端面とにはそれぞれヘッドボードとフットボードとが連結される。上記ベッド本体の一端面と他端面、つまり上記箱状体の幅方向と交差する両端はそれぞれ端板によって閉塞されている。
【０００９】
そのため、ベッド本体の長手方向の両端面にヘッドボードとフットボードを連結する場合、箱状体の開口部が形成された幅方向一端部は箱状体の内部からこの箱状体に連結することができるから、その連結に用いられたねじをボードの外面に露出させずにすむ。
【００１０】
しかしながら、ボードの幅方向他端部は箱状体の内面からでは手が届かないから、各ボードの外面から上記端板にねじを捩じ込んで連結しなければならない。そのため、そのねじが各ボードの外面に露出してしまうから、ベッド装置の外観の低下を招くということがあった。
【００１１】
この発明は、ベッド本体を複数の箱状体に分割した場合、各箱状体の連結及びヘッドボードとフットボードとの連結を、これらを連結するねじなどを外部に露出させずに行なうことができるようにしたベッド装置を提供することにある。
【課題を解決するための手段】
【００１２】
この発明は、一対の側面の一方が開口部に形成され他方に側板に設けられた複数の箱状体を、各箱状体の開口部を同じ方向に向けるとともに上記一対の側面に直交する方向に位置する互いの端板の幅方向一端部と他端部とを第１の連結手段で連結して構成されるベッド本体と、
各箱状体の開口部に出し入れ可能に設けられた収納ケースと、
上記箱状体の端板の上記開口部と反対側の端部と側板の内面との間にそれぞれ高さ方向に沿って開口形成された作業口と、
上記ベッド本体の長手方向一端に位置する箱状体の端板に第２の連結手段によって幅方向の一端部と他端部とが連結されるヘッドボード及び他端に位置する箱状体の端面に第３の連結手段によって幅方向の一端部と他端部とが連結されるフットボードとを具備し、
上記第１乃至第３の連結手段による連結は、幅方向の一端部の連結が各箱状体の開口部から行なわれ、他端部の連結が上記作業口を用いて行なわれることを特徴とするベッド装置にある。
【００１３】
複数の箱状体は同じ大きさに形成されていることが好ましい。
【００１４】
隣り合う一対の箱状体の端板を連結する第１の連結手段は、一端部を一方の箱状体の上面を形成する床板の幅方向の端部の内面に連結し、他端部をその箱状体の作業口から外部に突出させ、一方の箱状体の端板に他方の箱状体の端板を接触させるときに上記他端部を他方の箱状体の作業口から内部に挿入して上記床板の幅方向端部の内面に連結される連結部材と、一対の箱状体の接触される一対の端板の上記開口部側に位置する端部を連結する第１のねじとからなることが好ましい。
【００１５】
上記第２、第３の連結手段は、Ｌ字状をなしていて、その一辺が上記各ボードの幅方向一端部の前面に取り付けられ他端部が箱状体の端板に開口形成された作業口から内部に挿入しその箱状体の上面を形成する床板の内面に連結固定されるＬ字状部材と、各ボードの幅方向の他端部を上記開口部から上記端板に連結固定する第２の連結ねじとからなることが好ましい。
【発明の効果】
【００１６】
この発明によれば、複数に分割された箱状体の端板に作業口を形成したので、この作業口を利用することで、並設された箱状体の連結やヘッドボードとフットボードとの連結を、その連結に用いられる連結手段を外部に露出させずに連結することが可能となる。
【発明を実施するための最良の形態】
【００１７】
以下、この発明の一実施の形態を図面を参照して説明する。  
図１はこの発明のベッド装置の斜視図であって、このベッド装置はベッド本体１を備えている。このベッド本体１は複数、この実施の形態では同じ大きさの２つの箱状体２に分割されている。各箱状体２は一側面が開口した開口部２ａを有する箱形状に形成されている。すなわち、箱状体２は、図３と図４に示すように、上下方向に所定間隔で離間対向した矩形状の底板３と床板４を有し、これら底板３と床板４との周辺部のうちの幅方向他側だけに側板５が設けられているとともに、幅方向と交差する方向の両端には端板６が設けられている。それによって、箱状体２は、上述したように一側面に開口部２ａが形成された箱形状に形成されている。
【００１８】
図２と図４（ａ）に示すように、一対の端板６は箱状体２の幅寸法よりもわずかに短く形成されている。それによって、箱状体２の幅方向と交差する方向の両端面には作業口７が開口形成されている。つまり、作業口７は、箱状体２の幅方向の開口部２ａと反対側の短部に高さ方向全長にわたって形成されている。
【００１９】
図３（ａ），（ｂ）に示すように、箱状体２の内面である、一対の端板６の内面には、箱状体２の幅方向に沿ってアウタレール８が設けられている。このアウタレール８には前端に前板１１が取り付けられた載置フレーム１２がスライド可能に支持されている。この載置フレーム１２には上面が開口した収容ケース１３が着脱可能に支持されている。
【００２０】
上記載置フレーム１２は図４（ｂ）に示すように箱状体２内に収容された状態から図１に示すように引き出すことができるようになっている。載置フレーム１２を箱状体２に収容すると、その前板１１が箱状体２の幅方向一側の開口を閉塞するようになっている。
【００２１】
なお、この実施の形態では、載置フレーム１２には２つの収容ケース１３が載置フレーム１２の引き出し方向に沿って並べられて載置されている。それによって、載置フレーム１２を１つの収容ケース１３が露出する位置まで引き出し、前側の収容ケース１３を載置フレーム１２から除去すれば、奥側の収容ケース１３を載置フレーム１２上をスライドさせて箱状体２から露出させることができる。
【００２２】
一対の箱状体２は、これらの一方の端板６を接触させて連結固定されている。すなわち、箱状体２の開口部２ａ側に位置する幅方向一端部には、図３（ａ）に示すように、接触した一対の端板６に上下方向に所定間隔で一対の通孔１８が対応して形成されている。２枚の端板６に穿設された通孔１８には一対のねじ１４ａが挿通され、これらねじ１４ａにナット１４ｂが螺合されている。それによって、一対の箱状体２の幅方向一端部が連結固定されている。
【００２３】
上記箱状体２の幅方向他端部は、図３（ｂ）に示すように各箱状体２の床板４の幅方向の他端部が帯状連結部材１５によって連結固定されている。この帯状連結部材１５は図６（ｃ）、（ｄ）に示すように両端部にねじ孔１５ａが形成されている。
【００２４】
上記帯状連結部材１５は、一対の箱状体２の端板６を接触させる前に、一方の箱状体２の作業口７から一端部を挿入し、この一端部のねじ孔１５ａに床板４に形成された通孔１６からねじ１７を螺合させる。それによって、帯状連結部材１５の一端部は一方の箱状体２の床板４の下面に固定される。
【００２５】
そして、他方の箱状体２の端板６を一方の箱状体２の端板６に接触させる際、一方の箱状体２の作業口７から突出した帯状連結部材１５の他端部を、この他方の箱状体２の端板６の作業口７に挿入し、この帯状連結部材１５の他端部に形成されたねじ孔１５ａに床板４に形成された通孔１６からねじ１７を螺合し、この床板４の下面に固定する。
【００２６】
それによって、一対の箱状体２は、幅方向の一端部がねじ１４ａとナット１４ｂによって連結され、他端部は帯状連結部材１５によって連結される。そして、ねじ１４ａとナット１４ｂ及び帯状連結部材１５は箱状体２内部に設けられ、外部に露出しないから、ベッド本体１の外観を損なうことがない。なお、帯状連結部材１５を連結するねじ１７はその頭部が床板４の上面に露出するが、一対の箱状体２の床板４には図１に示すマットレスＭが載置されるため、上記ねじ１７が外部から見えることはない。
【００２７】
なお、一対の箱状体２は幅方向の他端部を帯状連結部材１５で連結してから、開口部２ａ側の幅方向の一端部がねじ１４ａとナット１４によって連結される。
【００２８】
一方の箱状体２の他方の端板６にはヘッドボード２１が連結され、他方の箱状体２の他方の端板６にはフットボード２２が連結される。上記ヘッドボード２１とフットボード２２の幅方向両端部の内面にはそれぞれ上下方向に一対の埋め込みナット２３が設けられている。幅方向一端部には帯板状のＬ字状部材２４の一辺がねじ２５によって連結固定されている。ヘッドボード２１に設けられるＬ字状部材２４は図５に示す。
【００２９】
上記Ｌ字状部材２４は図６（ａ），（ｂ）に示すように一辺に一対の通孔２６が形成され、他辺にはねじ孔２７が形成されていて、その通孔２６に上記ねじ２５を通し、そのねじ２５を各ボード２１，２２の幅方向の一端部の埋め込みナット２３に螺合させている。各ボード２１，２２の幅方向一端部は、各箱状体２の作業口７が形成された幅方向他端部に対応する。
【００３０】
Ｌ字状部材２４が取り付けられた各ボード２１，２２は、そのＬ字状部材２４の他辺を作業口７に挿入して内面を各箱状体２の端板６の外面に接触させる。そして、上記Ｌ字状部材２４の他辺のねじ孔２７に、床板４の幅方向端部に形成された通孔１６からねじ１７を螺合させる。それによって、各ボード２１，２２は幅方向の一端部が各箱状体２の端板６の外面に連結固定される。
【００３１】
各ボード２１，２２の幅方向他端部は、図３（ａ）に示すように端板６の端部に形成された通孔２８を通されて各ボード２１，２２の幅方向他端部に設けられた埋め込みナット２３に螺合されたねじ２９によって連結固定されている。
【００３２】
このように、各ボード２１，２２を各箱状体２の端板６に連結固定すれば、Ｌ字状部材２４及びねじ２９が箱状体２の内部に設けられ、外部に露出することがないから、ベッド本体１の外観を損なうことがない。
【００３３】
このような構成のベッド装置によれば、２つの箱状体２の一対の端板６の幅方向の一端部にそれぞれ作業口７を形成した。そのため、２つの箱状体２を連結してベッド本体１に組立てる場合、一対の箱状体２の側板５によって閉塞された幅方向の他端部の連結を、上記作業口７を利用して一対の箱状体２の内部に位置する帯状連結部材１５によって連結することができる。
【００３４】
これら箱状体２の幅方向一端部の連結は、幅方向の一端部が収容ケース１２を出し入れするための開口部２ａに形成されているから、その開口部２ａを利用して一対の端板６の端部をねじ１４ａとナット１４ｂによって連結することができる。
【００３５】
したがって、一対の箱状体２の連結を、箱状体２の幅方向の外面にねじなどの連結部材が露出することがないから、一対の箱状体２をベッド本体１の外観を損なうことなく連結固定することができる。
【００３６】
一方の端板６が連結された一対の箱状体２の、他方の端板６にはそれぞれヘッドボード２１とフットボード２２が連結される。これらボード２１，２２の連結も、幅方向の一端部は作業口７を利用して箱状体２の内部に設けられるＬ字状部材２４によって連結することができ、他端部は箱状体２の開口部２ａを利用してねじ２５によって連結することができる。
【００３７】
したがって、各ボード２１，２２の連結も、外部にねじなどの連結部材を露出させずに行なえるから、これらボード２１，２２を、ベッド本体１の外観を損なうことなく連結固定することができる。
【００３８】
一対の箱状体２は、幅方向と交差する方向に位置する一対の端板６にそれぞれ作業口７が形成されている。そのため、図１では一方の箱状体２の端板６にヘッドボード２１を連結し、他方の箱状体２の端板６にフットボード２２を連結したが、図７に示すように一方の箱状体２の端板６にフットボード２２、他方の箱状体２の端板６ヘッドボード２１を連結することもできる。
【００３９】
このように、ヘッドボード２１とフットボード２２との連結をベッドの本体１の長手方向の逆の端板６に連結すれば、ヘッドボード２１から見て収容ケース１３の出し入れをベッド本体１の幅方向の逆側にすることができる。つまり、ベッド本体１の設置条件などに応じて収容ケース１３を出し入れする方向を変えることができる。
【００４０】
２つの箱状体２は同じ大きさに形成されている。そのため、ベッド本体１が２つの箱状体２によって形成されていても、部品管理上は１つの部品であるから、部品管理や組立作業の容易化を図ることができる。  
上記一実施の形態では、ベッド本体を２つの箱状体に分割した場合について説明したが、ベッド本体は３つ以上の箱状体によって形成することも可能である。
【図面の簡単な説明】
【００４１】
【図１】この発明の一実施の形態を示すベッド装置の斜視図。
【図２】ベッド本体の平面図。
【図３】（ａ）は図２のＸ−Ｘに沿う断面図、（ｂ）は同じくＹ−Ｙ線に沿う断面図。
【図４】（ａ）は箱状体を幅方向一側から見たの側面図、（ｂ）は箱状体の幅方向に沿う断面図。
【図５】ヘッドボードの斜視図。
【図６】（ａ）はＬ字状部材の正面図、（ｂ）は側面図、（ｃ）は連結部材の正面図、（ｄ）は側面図。
【図７】ヘッドボードとフットボードの取付け位置を変えたベッド本体の斜視図。
【符号の説明】
【００４２】
１…ベッド本体、２…箱状体、３…底板、４…床板、７…作業口、１３…収容ケース、１４ａ…ねじ（第１の連結手段）、１５…帯状連結部材（第１の連結手段）、２１…ヘッドボード、２２…フットボード、２３…埋め込みナット（第２、第３の連結手段）、２９…ねじ（第２、第３の連結手段）。
【図１】
2005224279.tif 000003
【図２】
2005224279.tif 000004
【図３】
2005224279.tif 000005
【図４】
2005224279.tif 000006
【図５】
2005224279.tif 000007
【図６】
2005224279.tif 000008
【図７】
2005224279.tif 000009